(57)【要約】      （修正有）【課題】工事の報告書、申請書等に添付する現場写真に入れる必要項目を黒板等に代える野帳において、写真内に不自然で不要な対象物を入れない野帳を提供する。【解決手段】野帳は、表裏の表紙をプラスチック製のシートとし、両表紙間に耐水性を備えた複数枚の記入用のシートを重ねて介挿し、各シートの周縁の一側に複数のパンチ孔を形成するとともに、パンチ孔にリングを通してシートを係脱可能にバインダー７で綴じ込んだ手帳サイズ又はポケットサイズの野帳１である。記入用のシートの一部又は全部に、野帳を利用する業務分野に応じて求められる撮影現場の必要事項を記載して表示する表示板の表示様式と少なくとも主要部が共通する様式の記入表８を印刷表示し、記入表８の外周側に、写真撮影者が撮影時に撮影範囲内にかざすための把持部９を記入表印刷ページに余白又は撮影不要スペースとして設けた。【選択図】図５
2020019186.tif 000002
【特許請求の範囲】
【請求項１】
表裏の表紙（２），（３）をプラスチック製のシートとし、両表紙（２），（３）間に耐水性を備えた複数枚の記入用のシート（４）を重ねて介挿し、上記各シート（４）の周縁の一側に複数のパンチ孔（６）を形成するとともに、該パンチ孔（６）にリング（７ａ）を通して上記シート（４）を係脱可能にバインダー（７）で綴じ込んだ手帳サイズ又はポケットサイズの野帳（１）であって、記入用のシート（４）の一部又は全部に、野帳を利用する業務分野に応じて求められる撮影現場の必要事項を記載して表示する表示板の表示様式と少なくとも主要部が共通する様式の記入表（８）を印刷表示し、該記入表（８）の外周側に、写真撮影者が撮影時に撮影範囲内にかざすための把持部（９）を記入表印刷ページに余白又は撮影不要スペースとして設けた野帳。
【請求項２】
記入表（８）内又は記入表（８）に隣接させて、上記必要情報に関連し又はこれを補足する情報を表示する空欄からなる補足事項の記入欄（８ｂ）を設けた請求項１に記載の野帳。
【請求項３】
裏表紙（３）の両面又は片面に記入表（８）を印刷し、該印刷面がフェルトペンその他の筆記具により写真撮影及び消去が可能な記載ができる面を備えた請求項１又は２に記載の野帳。
【請求項４】
メモ用のシート（４）に自由記載が可能なシートを含む請求項１〜３のいずれかに記載の野帳。
【請求項５】
バインダー（７）によるシートの綴じ込みが、バインダー（７）の係脱により、シート（４）の差換え及び加除が可能に構成され、表紙（２）及びシート（４）を３６０°回転させて畳み重ねできるワンボードタイプの野帳（１）とした請求項１〜４のいずれかに記載の野帳。
【請求項６】
野帳（１）が土木工事用の野帳であり、記入表（８）の必要事項記入欄（８ａ）が工事名，工種，測点の記入欄を備えてなる請求項１〜５のいずれかに記載の野帳。
【請求項７】
業務分野に応じて求められる撮影現場の必要項を記載して表示する表示板の表示形式と少なくとも主要部が共通する様式の記入表（８）を印刷表示したメモ用のシート（４）を綴じ込んだ手帳サイズ又はポケットサイズの野帳（１）の記入表（８）に必要事項を予め記入し、現場写真撮影時に撮影者が記入表（８）外の余白からなる把持部（９）を把持し、撮影範囲（１１）内に上記記入表（８）をかざして現場風景と共にカメラ撮影する野帳を利用した現場写真の撮影方法。
【請求項８】
撮影範囲（１１）内にメモ用シート（４）の記入表（８）又は記入表（８）と補足事項の記入欄（８ｂ）のみを納めて撮影する請求項７に記載の野帳を利用した現場写真の撮影方法。
【請求項９】
野帳（１）が土木工事用の野帳であり、記入表（８）が工事名，工種，測点の必要事項の記入欄（８ａ）を備えてなる請求項７又は８に記載の野帳を利用した現場写真の撮影方法。
【発明の詳細な説明】
【技術分野】
【０００１】
この発明は主として土木工事，建設工事等の工事現場や測量現場等で使用される野帳及び野帳を利用した現場写真の撮影方法に関する。
【背景技術】
【０００２】
一般に土木作業や建設作業又はこれらに伴う測量作業等の工事に際しては、作業の前後の状態や作業中の状態を記録して国、自治体等の公的団体又は依頼者等に報告や事前許認可を得るために、現場写真を撮影して書面添付するが、この写真には工事の名称や種類、位置等の必要事項を表示した黒板やホワイトボードを入れて撮影する必要がある（非特許文献１参照）。
【０００３】
これに対して黒板やホワイトボード等の表示板を予め準備し又は現場に持ち運ぶ負担を軽減するために、汎用性のある携帯用のノート型ホワイトボードに必要情報を記入し、現場写真撮影時に当該ホワイトボードの記入事項とともに収めるものが特許文献１によって公知である。
【先行技術文献】
【特許文献】
【０００４】
【特許文献１】特開２０１６−１６６６６号公報
【非特許文献１】「土木工事写真の撮り方と写真管理のポイント」「はじめに」中の「適切な写真管理の実施に向けた取組」「（２）土木工事写真撮影枚数の削減方法」の欄、第１頁〜２頁（ページ表記なし）（平成２８年７月  山口県土木建築部技術管理課発行）
【発明の概要】
【発明が解決しようとする課題】
【０００５】
しかし、上記特許文献１のホワイトボードは、折畳み式の見開き形状の冊子を開いて撮影するため、全体が大型化し現場写真の撮影範囲内のスペースが大きくなり（逆に必要な記載事項のスペースが小さくなる）、仮に現場を背景として撮影しても現場写真スペースが少なく、必要な記載事項が小さくなって判読し辛いほか、手で持って撮影する際に持ち手の一部が必要な記載フォームの一部に掛り、さらに余分な表示が入るという欠点がある。
【課題を解決するための手段】
【０００６】
この発明は上記のような欠点を解消する野帳とその野帳を利用した現場写真の撮影方法を提供するもので、第１に表裏の表紙２，３をプラスチック製のシートとし、両表紙２，３間に耐水性を備えた複数枚の記入用のシート４を重ねて介挿し、上記各シート４の周縁の一側に複数のパンチ孔６を形成するとともに、該パンチ孔６にリング７ａを通して上記シート４を係脱可能にバインダー７で綴じ込んだ手帳サイズ又はポケットサイズの野帳１であって、記入用のシート４の一部又は全部に、野帳を利用する業務分野に応じて求められる撮影現場の必要事項を記載して表示する表示板の表示様式と少なくとも主要部が共通する様式の記入表８を印刷表示し、該記入表８の外周側に、写真撮影者が撮影時に撮影範囲内にかざすための把持部９を記入表印刷ページに余白又は撮影不要スペースとして設けたことを特徴とする。
【０００７】
第２に、記入表８内又は記入表８に隣接させて、上記必要情報に関連し又はこれを補足する情報を表示する空欄からなる補足事項の記入欄８ｂを設けたことを特徴とする。
【０００８】
第３に、裏表紙３の両面又は片面に記入表８を印刷し、該印刷面がフェルトペンその他の筆記具により写真撮影及び消去が可能な記載ができる面を備えたことを特徴とする。
【０００９】
第４に、メモ用のシート４に自由記載が可能なシートを含むことを特徴とする。
【００１０】
第５に、バインダー７によるシートの綴じ込みが、バインダー７の係脱により、シート４の差換え及び加除が可能に構成され、表紙２及びシート４を３６０°回転させて畳み重ねできるワンボードタイプの野帳１としたことを特徴とする。
【００１１】
第６に、野帳１が土木工事用の野帳であり、記入表８の必要事項記入欄８ａが工事名，工種，測点の記入欄を備えてなることを特徴とする。
【００１２】
第７に、業務分野に応じて求められる撮影現場の必要項を記載して表示する表示板の表示形式と少なくとも主要部が共通する様式の記入表８を印刷表示したメモ用のシート４を綴じ込んだ手帳サイズ又はポケットサイズの野帳１の記入表８に必要事項を予め記入し、現場写真撮影時に撮影者が記入表８外の余白からなる把持部９を把持し、撮影範囲１１内に上記記入表８をかざして現場風景と共にカメラ撮影することを特徴とする。
【００１３】
第８に、撮影範囲１１内にメモ用シート４の記入表８又は記入表８と補足事項の記入欄８ｂのみを納めて撮影することを特徴とする。
【００１４】
第９に、野帳１が土木工事用の野帳であり、記入表８が工事名，工種，測点の必要事項の記入欄８ａを備えてなることを特徴とする。
【発明の効果】
【００１５】
以上のように構成される本発明によれば、記入用シートの記入表内に撮影現場の必要記載事項を記載し、記入用シートの余白部分を片手で把持して撮影範囲内にかざして、記入表を撮影現場と共に撮影できるので、現場撮影専用の黒板やホワイトボードその他の表示板の準備や持ち込みが必要ない。
【００１６】
また記入用シートの余白を把持するので、記入表とその記載事項のすべてが撮影されるとともに、把持部を撮影範囲内から外すことにより、記録に必要ない対象物が写真に入ることがなく、記録様式としても整備されたものとなるほか、定型的な報告者や申請書類等への貼付や取り込みも容易である。
【図面の簡単な説明】
【００１７】
【図１】本発明の野帳の展開状態の平面図である。
【図２】表紙を裏側に折畳み記入用のシートのみを表示した状態の野帳の平面図である。
【図３】閉じた状態の野帳の側面図である。
【図４】野帳の綴じ込み状態を示すバインダー部分の拡大断面図である。
【図５】野帳をホワイトボード代りに用いた写真撮影状態を示す正面図である。
【図６】横長形状の野帳に用いる記入用のシートの印刷様式の例を示す平面図である。
【図７】（Ａ），（Ｂ）は共にカレンダーとして用いるシートの印刷例を示す平面図である。
【図８】野帳に綴じ込んで、業務に関連する名刺やメモその他のシート状資料を封入できる袋状シートの平面図である。
【発明を実施するための形態】
【００１８】
以下本発明の実施形態を、土木工事現場で工事の前後や工事中の現場情況、調査や測定結果等の関連事項を記録する野帳の例について、図１〜図８に基いて説明する。
【００１９】
図１〜図５はいずれも本発明の実施形態を示すもので、野帳１は一定の可撓性と耐水性を備えた０．８ｍｍ程度の厚みを有する縦長の長方形でプラスチック製のシートからなる表紙２と裏表紙３の間に、耐水性を有し通常の筆記具で書き込み記載可能な表裏両面を備えた０．２ｍｍ程の厚みの同形の記入シート４を重ねて介挿し、上端側の多数のパンチ孔６に開閉式のリング式バインダー７のリング７ａを通してルーズリーフバインダータイプに綴じられている。この野帳１の各シートは３６０°反転させて畳み重ね可能なワンボードタイプに綴じられている。
【００２０】
表紙２と裏表紙３は、記入シート４に対して僅かに大きいサイズに裁断されており、本例では記入シート９１×１６４（ｍｍ）に対し、表紙２と裏表紙３のシートは９６×１６７（ｍｍ）に形成され、バインダー７の各リング７ａはＣ形に形成されて、その突合せ端はスナップ状に係脱可能な係脱部７ｃを備え（図４参照）、係脱部７ｃの反対側には各リング７ａを連接する連接部７ｂがプラスチックにより一体的に形成され、各シート共にバインダー７のリング７ａを開くことにより取外し又は交換が可能である。
【００２１】
上記記入シート４の表面には、被写体となる工事現場とともに写し込む小黒板又はホワイトボード等の表示板の必要（記載）事項を記入する記入表８が、耐水性インクで印刷されている。この例では最小限の必要事項として工事名（工事の名称），工種（工事の種類），測点（位置）が定められている場合を示し、記入表８の枠線内の上部にそれぞれ必要事項記入欄８ａとして設けられ、その下部には方眼紙状の升目が薄インクで印刷され、上記必要事項を補足し又はこれと関連する事項（例えば工事現場の設計寸法，実測寸法，略図等）である補足事項を記入する補足事項記入欄８ｂが印刷されている。
【００２２】
上記必要事項は写真撮影すべき現場の業務分野や具体的な撮影目的等によって異なり、例えば本例で示す土木工事現場写真でも、例示した補足事項の一部又は全部が必要事項とされる場合もある。
【００２３】
また上記記入表８の下端（綴じ込み端の反対側端部）と記入シート４の下端との間には例えば３４ｍｍ程度の横長の余白からなる把持部９が設けられており、この把持部９は図５に示すように、土木工事現場の写真撮影時に、カメラ（スマートフォン等の小型で片手操作可能なデジタルカメラを想定）を片方の手で持ち、撮影範囲１１内に野帳１の表紙２を裏側に３６０°回して折畳み、記入済の記入シート４をかざして記入表８を取り込んで他方の手で撮影する際の把手部となる。
【００２４】
即ち、図示する例ではカメラを右手で持って被写体となる工事現場の必要箇所を、撮影範囲１１の現場撮影範囲１１ａ内に納め、その右側の記入表撮影範囲１１ｂに記入表８を取り込んで撮影するもので、この時右手で野帳１の把持部９を把持し且つ持ち手の左手が撮影範囲１１内に入らない程度の幅に把持部９が余白として形成されている。
【００２５】
その結果、撮影された現場写真には、従来のように必要事項を記入した黒板やホワイトボード等の表示板を取り込む代わりに、同一記載事項を記入した記入表８が取り込まれ、撮影範囲（写真画面）には、撮影者の手その他の不要な被写体が取り込まれることなく、報告書や記録書の写真としても定型的に整備されたものとなり、書類への貼付は勿論、求められる書面のフォーマットへのパソコン等による取り込みも容易になる。
【００２６】
本実施形態では記入シート４の記入表８の下端側に把持部９を設けたが、綴じる周縁部をいずれの側の辺にするかに応じて、若しくは綴じ辺のいずれかとは関係なく、上下左右いずれの側に設けることも可能であり（図６参照）、記入表８の写真は撮影範囲１１の上下左右いずれの側に取り込むことも可能である。そして画面における記入表８の大小を調節するために、クリップ付で伸縮可能な棒状の把持具（図示しない）を用いて把持することも可能である。ちなみに上記棒状の把持具としては、携帯用小型カメラ（例えばスマートフォン）で撮影者本人を撮影する際のカメラ保持に用いる通称「自撮り棒」が想定される。
【００２７】
また裏表紙３は表紙２と同様に無地のシートでもよいが、本実施形態では図２に示すように裏表紙３の外面に図１と同様な記入表８を印刷し、耐水性インクを用いたフェルトペン等の筆記具により、撮影現場で必要事項を記入して前記同様に用いることができ、この場合は記入事項が簡単に消去、再記入ができるシートの素材の選択又は表面処理する必要があり、これにより同一記入表８を繰り返し使用することができる。記入表８の印刷は裏表紙３の内面にも印刷することができる。
【００２８】
図６は記入用のシート４の他の例を示し、この例では野帳１を横長にして使用する場合の記入表８がシート４の方向に沿って横長に印刷されており、右端にパンチ孔６が左端に把持部９が設けれらているので、現場写真に取り込む際は、カメラアングルの左側にかざして撮影することになる。またパンチ孔６と把持部９を図示例とは左右逆方向にすることもできる。前記実施形態のものと同一用途、機能部分は同一符号で示した。
【００２９】
図７（Ａ），（Ｂ）は野帳１内に綴じ込んで、現場に関連する各種の予定事項その他を記入するカレンダー１２が印刷された右綴じタイプのシート１３の例が示されている。カレンダー１２は年間のいずれの月にでも対応できるように、どの曜日から当該月が始まっても月末迄の毎日の記録ができる数の升目からなる記入欄１２ａが設けられ、記入欄１２ａの縦列の上端には曜日がそれぞれ印刷され、そして各記入欄１２ａ内には日付表示欄１２ｂが設けられている。図７（Ａ），（Ｂ）の相違点は月表示欄１２ｃが表外にあるか表内にあるかの違いのみであり、これにより各日付表示欄の記入面積に僅かな違いが生じる。
【００３０】
図８は、野帳１内の例えば裏表紙３の内側に綴じ込まれるパンチ孔６付の袋シート１４を示しており、袋シート１４はビニールシートその他の材料からなる透明フィルムを前述のシート４と同一サイズで袋状に形成したもので、長手方向の一辺側にはスライダー不要の引き開き可能な密閉ファスナー１４ａが設けられている。該袋シート１４内には撮影現場に関連するメモ類や名刺，写真その他の小片の資料類を出し入れ可能に防水保管するものである。
【００３１】
さらに、記入シート４は上記のように記入表８を印刷したものを主としつつも、例えば白紙メモシートや罫線入り又は方眼紙状の升目印刷を施した自由記載形式のメモシート（図示しない）を一定割合で加えることが可能である。
【００３２】
なお、野帳１は背表紙を備えた見開き式のものに比し、本例で示した開閉リング式のバインダー７を用い必要事項記入シート以外は３６０°裏側に回転収納可能なワンボードタイプものの方が、写真撮影時の把持の安定性、現場での記入作業その他の取扱い易さの点で優れている。その他バインダー７としてはスパイラルコイル型のバインダーの使用も可能であり、このスパイラルコイル型のバインダーで上下いずれかの端部を綴じた場合、表紙を１回転させると、らせんの１ピッチ分表紙が左又は右方向にずれるので、ずれた分だけ把持が容易になるほか、表紙の端部が記入シート４の端部から隠れる利点がある。
【産業上の利用可能性】
【００３３】
この発明は、バードウォッチングや風景写真撮影等にも利用可能であるが、土木・建設の作業現場、災害現場、測量現場、事故や事件現場等写真撮影等の分野での利用に特に適している。
【符号の説明】
【００３４】
１      野帳
２      表紙（シート）
３      裏表紙（シート）
４      記入用のシート
６      パンチ孔
７      バインダー
７ａ    リング
８      記入表
８ａ    必要事項記入欄
８ｂ    補足事項記入欄
９      把持部（余白，撮影不要スペース）
１１    撮影範囲
１１ａ  現場撮影範囲
１１ｂ  記入表撮影範囲
【図１】
2020019186.tif 000003
【図２】
2020019186.tif 000004
【図３】
2020019186.tif 000005
【図４】
2020019186.tif 000006
【図５】
2020019186.tif 000007
【図６】
2020019186.tif 000008
【図７】
2020019186.tif 000009
【図８】
2020019186.tif 000010
【手続補正書】
【提出日】令和1年11月26日(2019.11.26)
【手続補正１】
【補正対象書類名】特許請求の範囲
【補正対象項目名】全文
【補正方法】変更
【補正の内容】
【特許請求の範囲】
【請求項１】
表裏の表紙（２），（３）をプラスチック製のシートとし、両表紙（２），（３）間に耐水性を備えた複数枚の記入用のシート（４）を重ねて介挿し、上記各シート（４）の周縁の一側に複数のパンチ孔（６）を形成するとともに、該パンチ孔（６）にリング（７ａ）を通して上記シート（４）を係脱可能にバインダー（７）で綴じ込んだ手帳サイズ又はポケットサイズの野帳（１）であって、記入用のシート（４）の一部又は全部に、野帳を利用する業務分野に応じて求められる撮影現場の必要事項を記載して表示する表示板の表示様式と少なくとも主要部が共通する様式の記入表（８）を印刷表示し、該記入表（８）の外周側に、写真撮影者が撮影時に撮影範囲内にかざすための把持部（９）を記入表印刷ページに余白又は撮影不要スペースとして設けた野帳。
【請求項２】
記入表（８）内又は記入表（８）に隣接させて、上記必要情報に関連し又はこれを補足する情報を表示する空欄からなる補足事項の記入欄（８ｂ）を設けた請求項１に記載の野帳。
【請求項３】
裏表紙（３）の両面又は片面に記入表（８）を印刷し、該印刷面がフェルトペンその他の筆記具により写真撮影及び消去が可能な記載ができる面を備えた請求項１又は２に記載の野帳。
【請求項４】
メモ用のシート（４）に自由記載が可能なシートを含む請求項１〜３のいずれかに記載の野帳。
【請求項５】
バインダー（７）によるシートの綴じ込みが、バインダー（７）の係脱により、シート（４）の差換え及び加除が可能に構成され、表紙（２）及びシート（４）を３６０°回転させて畳み重ねできるワンボードタイプの野帳（１）とした請求項１〜４のいずれかに記載の野帳。
【請求項６】
野帳（１）が土木工事用の野帳であり、記入表（８）の必要事項記入欄（８ａ）が工事名，工種，測点の記入欄を備えてなる請求項１〜５のいずれかに記載の野帳。
【手続補正２】
【補正対象書類名】明細書
【補正対象項目名】全文
【補正方法】変更
【補正の内容】
【発明の詳細な説明】
【技術分野】
【０００１】
この発明は主として土木工事，建設工事等の工事現場や測量現場等で使用される野帳に関する。
【背景技術】
【０００２】
一般に土木作業や建設作業又はこれらに伴う測量作業等の工事に際しては、作業の前後の状態や作業中の状態を記録して国、自治体等の公的団体又は依頼者等に報告や事前許認可を得るために、現場写真を撮影して書面添付するが、この写真には工事の名称や種類、位置等の必要事項を表示した黒板やホワイトボードを入れて撮影する必要がある（非特許文献１参照）。
【０００３】
これに対して黒板やホワイトボード等の表示板を予め準備し又は現場に持ち運ぶ負担を軽減するために、汎用性のある携帯用のノート型ホワイトボードに必要情報を記入し、現場写真撮影時に当該ホワイトボードの記入事項とともに収めるものが特許文献１によって公知である。
【先行技術文献】
【特許文献】
【０００４】
【特許文献１】特開２０１６−１６６６６号公報
【非特許文献１】「土木工事写真の撮り方と写真管理のポイント」「はじめに」中の「適切な写真管理の実施に向けた取組」「（２）土木工事写真撮影枚数の削減方法」の欄、第１頁〜２頁（ページ表記なし）（平成２８年７月  山口県土木建築部技術管理課発行）
【発明の概要】
【発明が解決しようとする課題】
【０００５】
しかし、上記特許文献１のホワイトボードは、折畳み式の見開き形状の冊子を開いて撮影するため、全体が大型化し現場写真の撮影範囲内のスペースが大きくなり（逆に必要な記載事項のスペースが小さくなる）、仮に現場を背景として撮影しても現場写真スペースが少なく、必要な記載事項が小さくなって判読し辛いほか、手で持って撮影する際に持ち手の一部が必要な記載フォームの一部に掛り、さらに余分な表示が入るという欠点がある。
【課題を解決するための手段】
【０００６】
この発明は上記のような欠点を解消する野帳を提供するもので、第１に表裏の表紙２，３をプラスチック製のシートとし、両表紙２，３間に耐水性を備えた複数枚の記入用のシート４を重ねて介挿し、上記各シート４の周縁の一側に複数のパンチ孔６を形成するとともに、該パンチ孔６にリング７ａを通して上記シート４を係脱可能にバインダー７で綴じ込んだ手帳サイズ又はポケットサイズの野帳１であって、記入用のシート４の一部又は全部に、野帳を利用する業務分野に応じて求められる撮影現場の必要事項を記載して表示する表示板の表示様式と少なくとも主要部が共通する様式の記入表８を印刷表示し、該記入表８の外周側に、写真撮影者が撮影時に撮影範囲内にかざすための把持部９を記入表印刷ページに余白又は撮影不要スペースとして設けたことを特徴とする。
【０００７】
第２に、記入表８内又は記入表８に隣接させて、上記必要情報に関連し又はこれを補足する情報を表示する空欄からなる補足事項の記入欄８ｂを設けたことを特徴とする。
【０００８】
第３に、裏表紙３の両面又は片面に記入表８を印刷し、該印刷面がフェルトペンその他の筆記具により写真撮影及び消去が可能な記載ができる面を備えたことを特徴とする。
【０００９】
第４に、メモ用のシート４に自由記載が可能なシートを含むことを特徴とする。
【００１０】
第５に、バインダー７によるシートの綴じ込みが、バインダー７の係脱により、シート４の差換え及び加除が可能に構成され、表紙２及びシート４を３６０°回転させて畳み重ねできるワンボードタイプの野帳１としたことを特徴とする。
【００１１】
第６に、野帳１が土木工事用の野帳であり、記入表８の必要事項記入欄８ａが工事名，工種，測点の記入欄を備えてなることを特徴とする。
【発明の効果】
【００１２】
以上のように構成される本発明によれば、記入用シートの記入表内に撮影現場の必要記載事項を記載し、記入用シートの余白部分を片手で把持して撮影範囲内にかざして、記入表を撮影現場と共に撮影できるので、現場撮影専用の黒板やホワイトボードその他の表示板の準備や持ち込みが必要ない。
【００１３】
また記入用シートの余白を把持するので、記入表とその記載事項のすべてが撮影されるとともに、把持部を撮影範囲内から外すことにより、記録に必要ない対象物が写真に入ることがなく、記録様式としても整備されたものとなるほか、定型的な報告者や申請書類等への貼付や取り込みも容易である。
【図面の簡単な説明】
【００１４】
【図１】本発明の野帳の展開状態の平面図である。
【図２】表紙を裏側に折畳み記入用のシートのみを表示した状態の野帳の平面図である。
【図３】閉じた状態の野帳の側面図である。
【図４】野帳の綴じ込み状態を示すバインダー部分の拡大断面図である。
【図５】野帳をホワイトボード代りに用いた写真撮影状態を示す正面図である。
【図６】横長形状の野帳に用いる記入用のシートの印刷様式の例を示す平面図である。
【図７】（Ａ），（Ｂ）は共にカレンダーとして用いるシートの印刷例を示す平面図である。
【図８】野帳に綴じ込んで、業務に関連する名刺やメモその他のシート状資料を封入できる袋状シートの平面図である。
【発明を実施するための形態】
【００１５】
以下本発明の実施形態を、土木工事現場で工事の前後や工事中の現場情況、調査や測定結果等の関連事項を記録する野帳の例について、図１〜図８に基いて説明する。
【００１６】
図１〜図５はいずれも本発明の実施形態を示すもので、野帳１は一定の可撓性と耐水性を備えた０．８ｍｍ程度の厚みを有する縦長の長方形でプラスチック製のシートからなる表紙２と裏表紙３の間に、耐水性を有し通常の筆記具で書き込み記載可能な表裏両面を備えた０．２ｍｍ程の厚みの同形の記入シート４を重ねて介挿し、上端側の多数のパンチ孔６に開閉式のリング式バインダー７のリング７ａを通してルーズリーフバインダータイプに綴じられている。この野帳１の各シートは３６０°反転させて畳み重ね可能なワンボードタイプに綴じられている。
【００１７】
表紙２と裏表紙３は、記入シート４に対して僅かに大きいサイズに裁断されており、本例では記入シート９１×１６４（ｍｍ）に対し、表紙２と裏表紙３のシートは９６×１６７（ｍｍ）に形成され、バインダー７の各リング７ａはＣ形に形成されて、その突合せ端はスナップ状に係脱可能な係脱部７ｃを備え（図４参照）、係脱部７ｃの反対側には各リング７ａを連接する連接部７ｂがプラスチックにより一体的に形成され、各シート共にバインダー７のリング７ａを開くことにより取外し又は交換が可能である。
【００１８】
上記記入シート４の表面には、被写体となる工事現場とともに写し込む小黒板又はホワイトボード等の表示板の必要（記載）事項を記入する記入表８が、耐水性インクで印刷されている。この例では最小限の必要事項として工事名（工事の名称），工種（工事の種類），測点（位置）が定められている場合を示し、記入表８の枠線内の上部にそれぞれ必要事項記入欄８ａとして設けられ、その下部には方眼紙状の升目が薄インクで印刷され、上記必要事項を補足し又はこれと関連する事項（例えば工事現場の設計寸法，実測寸法，略図等）である補足事項を記入する補足事項記入欄８ｂが印刷されている。
【００１９】
上記必要事項は写真撮影すべき現場の業務分野や具体的な撮影目的等によって異なり、例えば本例で示す土木工事現場写真でも、例示した補足事項の一部又は全部が必要事項とされる場合もある。
【００２０】
また上記記入表８の下端（綴じ込み端の反対側端部）と記入シート４の下端との間には例えば３４ｍｍ程度の横長の余白からなる把持部９が設けられており、この把持部９は図５に示すように、土木工事現場の写真撮影時に、カメラ（スマートフォン等の小型で片手操作可能なデジタルカメラを想定）を片方の手で持ち、撮影範囲１１内に野帳１の表紙２を裏側に３６０°回して折畳み、記入済の記入シート４をかざして記入表８を取り込んで他方の手で撮影する際の把手部となる。
【００２１】
即ち、図示する例ではカメラを右手で持って被写体となる工事現場の必要箇所を、撮影範囲１１の現場撮影範囲１１ａ内に納め、その右側の記入表撮影範囲１１ｂに記入表８を取り込んで撮影するもので、この時右手で野帳１の把持部９を把持し且つ持ち手の左手が撮影範囲１１内に入らない程度の幅に把持部９が余白として形成されている。
【００２２】
その結果、撮影された現場写真には、従来のように必要事項を記入した黒板やホワイトボード等の表示板を取り込む代わりに、同一記載事項を記入した記入表８が取り込まれ、撮影範囲（写真画面）には、撮影者の手その他の不要な被写体が取り込まれることなく、報告書や記録書の写真としても定型的に整備されたものとなり、書類への貼付は勿論、求められる書面のフォーマットへのパソコン等による取り込みも容易になる。
【００２３】
本実施形態では記入シート４の記入表８の下端側に把持部９を設けたが、綴じる周縁部をいずれの側の辺にするかに応じて、若しくは綴じ辺のいずれかとは関係なく、上下左右いずれの側に設けることも可能であり（図６参照）、記入表８の写真は撮影範囲１１の上下左右いずれの側に取り込むことも可能である。そして画面における記入表８の大小を調節するために、クリップ付で伸縮可能な棒状の把持具（図示しない）を用いて把持することも可能である。ちなみに上記棒状の把持具としては、携帯用小型カメラ（例えばスマートフォン）で撮影者本人を撮影する際のカメラ保持に用いる通称「自撮り棒」が想定される。
【００２４】
また裏表紙３は表紙２と同様に無地のシートでもよいが、本実施形態では図２に示すように裏表紙３の外面に図１と同様な記入表８を印刷し、耐水性インクを用いたフェルトペン等の筆記具により、撮影現場で必要事項を記入して前記同様に用いることができ、この場合は記入事項が簡単に消去、再記入ができるシートの素材の選択又は表面処理する必要があり、これにより同一記入表８を繰り返し使用することができる。記入表８の印刷は裏表紙３の内面にも印刷することができる。
【００２５】
図６は記入用のシート４の他の例を示し、この例では野帳１を横長にして使用する場合の記入表８がシート４の方向に沿って横長に印刷されており、右端にパンチ孔６が左端に把持部９が設けれらているので、現場写真に取り込む際は、カメラアングルの左側にかざして撮影することになる。またパンチ孔６と把持部９を図示例とは左右逆方向にすることもできる。前記実施形態のものと同一用途、機能部分は同一符号で示した。
【００２６】
図７（Ａ），（Ｂ）は野帳１内に綴じ込んで、現場に関連する各種の予定事項その他を記入するカレンダー１２が印刷された右綴じタイプのシート１３の例が示されている。カレンダー１２は年間のいずれの月にでも対応できるように、どの曜日から当該月が始まっても月末迄の毎日の記録ができる数の升目からなる記入欄１２ａが設けられ、記入欄１２ａの縦列の上端には曜日がそれぞれ印刷され、そして各記入欄１２ａ内には日付表示欄１２ｂが設けられている。図７（Ａ），（Ｂ）の相違点は月表示欄１２ｃが表外にあるか表内にあるかの違いのみであり、これにより各日付表示欄の記入面積に僅かな違いが生じる。
【００２７】
図８は、野帳１内の例えば裏表紙３の内側に綴じ込まれるパンチ孔６付の袋シート１４を示しており、袋シート１４はビニールシートその他の材料からなる透明フィルムを前述のシート４と同一サイズで袋状に形成したもので、長手方向の一辺側にはスライダー不要の引き開き可能な密閉ファスナー１４ａが設けられている。該袋シート１４内には撮影現場に関連するメモ類や名刺，写真その他の小片の資料類を出し入れ可能に防水保管するものである。
【００２８】
さらに、記入シート４は上記のように記入表８を印刷したものを主としつつも、例えば白紙メモシートや罫線入り又は方眼紙状の升目印刷を施した自由記載形式のメモシート（図示しない）を一定割合で加えることが可能である。
【００２９】
なお、野帳１は背表紙を備えた見開き式のものに比し、本例で示した開閉リング式のバインダー７を用い必要事項記入シート以外は３６０°裏側に回転収納可能なワンボードタイプものの方が、写真撮影時の把持の安定性、現場での記入作業その他の取扱い易さの点で優れている。その他バインダー７としてはスパイラルコイル型のバインダーの使用も可能であり、このスパイラルコイル型のバインダーで上下いずれかの端部を綴じた場合、表紙を１回転させると、らせんの１ピッチ分表紙が左又は右方向にずれるので、ずれた分だけ把持が容易になるほか、表紙の端部が記入シート４の端部から隠れる利点がある。
【産業上の利用可能性】
【００３０】
この発明は、バードウォッチングや風景写真撮影等にも利用可能であるが、土木・建設の作業現場、災害現場、測量現場、事故や事件現場等写真撮影等の分野での利用に特に適している。
【符号の説明】
【００３１】
１      野帳
２      表紙（シート）
３      裏表紙（シート）
４      記入用のシート
６      パンチ孔
７      バインダー
７ａ    リング
８      記入表
８ａ    必要事項記入欄
８ｂ    補足事項記入欄
９      把持部（余白，撮影不要スペース）
１１    撮影範囲
１１ａ  現場撮影範囲
１１ｂ  記入表撮影範囲